(57)【要約】  【課題】簡単な構成で、より精度良く原点マークを検出する技術を提供することを目的とする。  【解決手段】画像読取装置５０は、読取対象に光を照射する光源（２１０）と、読取対象を経由した光を蓄積する光電変換素子（２２０）と、光源（２１０）および光源変換素子（２２０）を制御して読み取った画像から所定マークを検出し、原稿読み取りの基準位置を決定する基準位置決定手段と、その基準位置に基づき光源（２１０）および光源変換素子（２２０）を制御して原稿読み取りを開始する原稿読取手段と、を備え、基準位置決定手段は、光源（２１０）から出力させる光の光量を異ならせて当該光量ごとに画像を読み取り、読み取った光量の異なる画像の少なくともいずれかを用いて所定マークを検出することによって、基準位置を特定する。【選択図】図１
2013098619.tif 000002
【特許請求の範囲】
【請求項１】
読取対象に光を照射する光源と、
前記読取対象を経由した光を蓄積する光電変換素子と、
前記光源および前記光源変換素子を制御して読み取った画像から所定マークを検出し、原稿読み取りの基準位置を決定する基準位置決定手段と、
前記基準位置に基づき前記光源および前記光源変換素子を制御して原稿読み取りを開始する原稿読取手段と、を備え、
前記基準位置決定手段は、
前記光源から出力させる光の光量を異ならせて当該光量ごとに画像を読み取り、読み取った光量の異なる画像の少なくともいずれかを用いて前記所定マークを検出することによって、前記基準位置を特定する、
ことを特徴とする画像読取装置。
【請求項２】
請求項１に記載の画像読取装置であって、
前記基準位置決定手段は、
前記光源の点灯時間を異ならせることによって、当該光源から出力させる光の光量を異ならせる、
ことを特徴とする画像読取装置。
【請求項３】
請求項１に記載の画像読取装置であって、
前記基準位置決定手段は、
前記光源に供給する電力量を異ならせることによって、当該光源から出力させる光の光量を異ならせる、
ことを特徴とする画像読取装置。
【請求項４】
請求項１に記載の画像読取装置であって、
前記基準位置決定手段は、
前記光源の点灯時間を異ならせること、及び、前記光源に供給する電力量を異ならせること、の少なくともいずれかによって、当該光源から出力させる光の光量を異ならせる、
ことを特徴とする画像読取装置。
【請求項５】
請求項２又は４に記載の画像読取装置であって、
前記光源は、複数色の光を独立して出力するものであり、
前記基準位置決定手段は、
前記色ごとに、前記光源の点灯時間を異ならせる、
ことを特徴とする画像読取装置。
【請求項６】
請求項５に記載の画像読取装置であって、
前記基準位置決定手段は、
前記光源において、緑色の点灯時間を、赤色の点灯時間の２倍とし、青色の点灯時間を、赤色の点灯時間の４倍とすることによって、当該光源から出力させる光の光量を異ならせる、
ことを特徴とする画像読取装置。
【請求項７】
請求項５に記載の画像読取装置であって、
前記原稿読取手段は、
原稿を読み取る場合に、前記光源について、赤色の点灯時間を最も長く、緑色の点灯時間を次に長く、青色の点灯時間を最も短くし、
前記基準位置決定手段は、
前記所定マークを検出する場合に、前記光源について、赤色の点灯時間を最も短く、緑色の点灯時間を次に短く、青色の点灯時間を最も長くする、
ことを特徴とする画像読取装置。
【請求項８】
読取対象に光を照射する光源と、前記読取対象を経由した光を蓄積する光電変換素子と、を備える画像読取装置における画像読取方法であって、
前記光源および前記光源変換素子を制御して読み取った画像から所定マークを検出し、原稿読み取りの基準位置を決定する基準位置決定ステップと、
前記基準位置に基づき前記光源および前記光源変換素子を制御して原稿読み取りを開始する原稿読取ステップと、を行い、
前記基準位置決定ステップでは、
前記光源から出力させる光の光量を異ならせて当該光量ごとに画像を読み取り、読み取った光量の異なる画像の少なくともいずれかを用いて前記所定マークを検出することによって、前記基準位置を特定する、
ことを特徴とする画像読取方法。
【発明の詳細な説明】
【技術分野】
【０００１】
本発明は、画像読取装置、および、画像読取方法に関する。
【背景技術】
【０００２】
フラットベット型のスキャナー装置は、イメージセンサーを搭載したキャリッジを、原稿台に沿って副走査方向に移動させながら画像を読み取る。
【０００３】
このようなスキャナー装置は、一般に、画像の読み取りに先立ちキャリッジを基準位置（いわゆる「ホームポジション」）へ移動させる。このとき、キャリッジの基準位置は、例えば、所定の位置（例えば、白基準板付近）に貼られた原点マークを検出することにより特定される（特許文献１）。
【先行技術文献】
【特許文献】
【０００４】
【特許文献１】特開平８−１６７９７４号
【発明の概要】
【発明が解決しようとする課題】
【０００５】
ところで、上記の原点マークを正確に検出できない場合には、キャリッジの基準位置もずれてしまう。そのため、原点マークは、精度良く検出される必要がある。
【０００６】
しかし、原稿読み取り時の規定光量（光源の光量）で原点マークを読み取ろうとすると、原点マークとその周辺領域での輝度差が小さくなり、原点マークを精度良く検出できないことがある。
【０００７】
本発明は、簡単な構成で、より精度良く原点マークを検出することを目的とする。
【課題を解決するための手段】
【０００８】
上記課題を解決するための本願発明は、読取対象に光を照射する光源と、前記読取対象を経由した光を蓄積する光電変換素子と、前記光源および前記光源変換素子を制御して読み取った画像から所定マークを検出し、原稿読み取りの基準位置を決定する基準位置決定手段と、前記基準位置に基づき前記光源および前記光源変換素子を制御して原稿読み取りを開始する原稿読取手段と、を備え、前記基準位置決定手段は、前記光源から出力させる光の光量を異ならせて当該光量ごとに画像を読み取り、読み取った光量の異なる画像の少なくともいずれかを用いて前記所定マークを検出することによって、前記基準位置を特定する。
【図面の簡単な説明】
【０００９】
【図１】本発明の画像読取装置５０の概略構成の一例を示すブロック図である。
【図２】原点マーク３０の位置の一例を示す図である。
【図３】（Ａ）は、原点マーク３０の一例を示す図である。（Ｂ１）〜（Ｂ３）は、原点マークマーク画像（光量：少）の一例を示す図である。（Ｃ１）〜（Ｃ３）は、原点マーク画像（光量：標準）の一例を示す図である。（Ｄ１）〜（Ｄ３）は、原点マーク画像（光量：多）の一例を示す図である。
【図４】原点マーク検出処理（カラー）の一例を示すフロー図である。
【図５】点灯時間によって光源の光量を調整する場合における、原点マーク検出処理（カラー）の一例を示すタイミングチャートである。
【図６】電力供給量によって光源の光量を調整する場合における、原点マーク検出処理（カラー）の一例を示すタイミングチャートである。
【図７】光源の光量を調整しながら読み取られた原点マーク画像（カラー）のイメージ図である。
【図８】原点マーク検出処理（モノクロ）の一例を示すフロー図である。
【図９】点灯時間によって光源の光量を調整する場合における、原点マーク検出処理（モノクロ）の一例を示すタイミングチャートである。
【図１０】電力供給量によって光源の光量を調整する場合における、原点マーク検出処理（モノクロ）の一例を示すタイミングチャートである。
【図１１】光源の光量を調整しながら読み取られた原点マーク画像（モノクロ）のイメージ図である。
【発明を実施するための形態】
【００１０】
以下、本発明の実施形態の一例を図面を参照して説明する。
【００１１】
図１は、本発明の一実施形態が適用された画像読取装置５０の概略構成の一例を示すブロック図である。
【００１２】
画像読取装置５０は、筐体の上面に原稿台１０を備えた、いわゆるフラットベッド型画像読取装置である。画像読取装置５０は、イメージセンサー（固体撮像素子）２２０を走査して、透明板の原稿台１０に載置された原稿の画像を読み取る。
【００１３】
画像読取装置５０は、図示するように、ＬＥＤ光源２１０及びイメージセンサー２２０を搭載したキャリッジ２００と、キャリッジ２００の移動を制御する駆動機構３００と、画像読取装置５０の全体を制御し、画像を読み取るための種々の処理を行うコントローラー１００と、を備えている。
【００１４】
キャリッジ２００は、イメージセンサー２２０を、ＬＥＤ光源２１０とともに副走査方向に運搬する。キャリッジ２００は、原稿台の盤面に対し平行なガイド用のシャフト等にスライド自在に係止されており、駆動機構３００のモーター（例えば、ＤＣモーター）により回転するベルトにより牽引される。キャリッジ２００の移動量は、駆動機構３００のモーターの回転量に応じてパルスを出力するエンコーダーの出力値により制御される。
【００１５】
ＬＥＤ光源２１０は、赤色（Ｒ）ＬＥＤ、緑色（Ｇ）ＬＥＤ、青色（Ｂ）ＬＥＤからなり、カラー画像を読み取る場合には、ＲＧＢの３色の光を所定の順序で発生する。本実施形態では、ＬＥＤ光源２１０は、通常の原稿の１ライン分の読み取りを行う場合には、赤色ＬＥＤ、緑色ＬＥＤ、青色ＬＥＤの順に光を発生する。そして、原稿の画像データの生成に必要なライン数分の読み取りを行うために、同様の発光動作を繰り返す。各色のＬＥＤの発光時間は、色ごとに予め定められており、点灯してからその定められた時間が経過したときに、消灯する。なお、１ライン分の読み取りを行う場合の発光順序は、ＲＧＢの順序に限られない。
【００１６】
なお、ＬＥＤ光源２１０は、モノクロ画像を読み取る場合には、通常の原稿１ライン分の読み取りで赤色ＬＥＤ、緑色ＬＥＤ、青色ＬＥＤを同時に発光させる。
【００１７】
イメージセンサー２２０は、原稿に反射した光を受光し、受光量に応じた電荷を蓄積し、画像読取データ（電気信号）として、コントローラー１００に送る。
【００１８】
イメージセンサー２２０は、主走査方向に並んだ複数のセンサーチップからなる。各センサーチップは、通常のＣＩＳ（Contact Image Sensor）やＣＣＤ（Charge Coupled Device）イメージセンサーと同様の構成を備えている。すなわち、各センサーチップは、光電変換素子（フォトダイオード）と、シフトゲートと、シフトレジスターと、を備える。そして、光電変換素子に蓄積された電荷を、シフトゲートを開通させてシフトレジスターへ転送し、シフトレジスターにより電荷を順次移動させながら出力する。
【００１９】
シフトゲートの開通（電荷の転送）は、シフトパルス（後述する読取制御部１２０からの信号）の印加に応答して行われる。光電変換素子は、常時、光の受光量に応じて電荷を蓄積しているため、電荷のシフトレジスターへの転送タイミングが、次の発光色の光についての電荷を蓄積する開始タイミングとなる。シフトレジスターに転送された電荷は、シフトレジスターの末端の出力部より、電気信号（アナログデータ）に変換されて、後述するＡ／Ｄ変換部１１０に送られる。
【００２０】
シフトレジスターに格納された電荷の出力は、所定の読み出しクロック（後述する読取制御部１２０からの信号）に応答して行われる。例えば、１クロック毎に１画素の電荷がアナログデータとして出力される。
【００２１】
コントローラー１００は、アナログ処理を行う（例えば、イメージセンサー２２０から出力されたアナログデータをデジタルデータに変換する）Ａ／Ｄ変換部１１０と、Ａ／Ｄ変換部１１０から出力されたデジタルデータに対して各種補正を行うデータ補正処理部１３０と、データ補正処理部１３０が各種補正を行うためのデジタルデータ（例えば、白基準データや黒基準データ）を記憶する記憶部１４０と、データ補正処理部１３０からのデータをパーソナルコンピューターなどのホストに送るための出力部１５０と、コントローラー１００内の各機能部を全体的に制御するとともに、キャリッジ２００内のＬＥＤ光源２１０やイメージセンサー２２０、及び、駆動機構３００を制御する読取制御部１２０と、を備えている。
【００２２】
読取制御部１２０は、駆動機構３００のモーターの回転を制御することにより、キャリッジ２００の移動を制御する。
【００２３】
また、読取制御部１２０は、イメージセンサー２２０による、画像読み取りを制御する。
【００２４】
具体的には、読取制御部１２０は、イメージセンサー２２０に対してシフトパルスの提供を周期的に行い、光電変換素子に蓄積された電荷のシフトレジスターへの転送タイミング（次の電荷蓄積の開始タイミング）を制御する。
【００２５】
また、読取制御部１２０は、イメージセンサー２２０に対して読み出しクロックの供給を行い、シフトレジスターに格納されている電荷のＡ／Ｄ変換部１１０への出力を制御する。
【００２６】
また、読取制御部１２０は、イメージセンサー２２０の読み取り動作に合わせて、ＬＥＤ光源２１０の点灯、消灯を制御する。
【００２７】
ところで、読取制御部１２０は、原稿の読み取りに先立ち、キャリッジ２００を基準位置（ホームポジション）へ移動させる。このとき、読取制御部１２０は、所定の位置に貼られた原点マーク３０を検出して、基準位置を特定する。従って、キャリッジ２００を正確に基準位置へ移動させるためには、原点マーク３０を正確に検出する必要がある。
【００２８】
図２は、原点マーク３０が貼られる位置の一例を示す図である。例えば、原点マーク３０は、図示するように、原稿台１０のキャリッジ２００側の面であり、白基準板（白基準データを取得するときに読み取られる板）２０の付近に貼られる。なお、図には、原点マーク３０の位置を黒塗りの円形で表しており、白基準板２０の位置を網掛けの四辺形で表している。
【００２９】
また、図３（Ａ）は、原点マーク３０の一例を示す図である。図示するように、原点マーク３０には、例えば、黒塗りの円形のものを用いる。なお、原点マーク３０を精度良く検出するためには、原点マーク３０の周辺領域をなるべく白色とした方がよい。
【００３０】
もちろん、原点マーク３０の位置、形状、色などは、上記に限定されるものではなく、例えば、原点マーク３０を白基準板２０の上に重ねてもよい。
【００３１】
ところで、上記のような原点マーク３０を検出するためには、原稿を読み取る場合と同様にＬＥＤ光源２１０を点灯させて、原点マーク３０を読み取る。ただし、原稿を読み取る場合のように規定の光量（以下では「規定光量」とよぶ）で原点マーク３０を読み取ろうとすると、原点マーク３０とその周辺領域での輝度差が小さくなり、精度良く原点マーク３０を検出できない場合がある。
【００３２】
特に、工場出荷前での製造過程や、出荷後の使用状況などによって、ＬＥＤ光源２１０が出力する光の規定光量にムラが生じたりすると、その規定光量で原点マーク３０を読み取っても、原点マーク３０を精度良く検出できない。
【００３３】
そこで、本実施形態では、読取制御部１２０は、ＬＥＤ光源２１０から出力させる光の光量を異ならせ、当該光量ごとに原点マーク３０を検出する。
【００３４】
例えば、第１に、読取制御部１２０は、ＬＥＤ光源２１０から出力される光の光量を規定光量（すなわち、原稿読み取り時の光量）よりも減少させ、原点マーク３０を読み取る。第２に、読取制御部１２０は、ＬＥＤ光源２１０から出力される光の光量を規定光量のままとし、原点マーク３０を読み取る。第３に、読取制御部１２０は、ＬＥＤ光源２１０から出力される光の光量を規定光量よりも増加させ、原点マーク３０を読み取る。
【００３５】
こうして、読取制御部１２０は、原点マーク３０についての読み取り画像を、光量ごと（すなわち、規定光量よりも少ない光量、規定光量のままの光量、規定光量よりも多い光量）に得ることができる。なお、原点マーク３０についての読み取り画像を、以下では、「原点マーク画像」とよぶ。
【００３６】
図３（Ｂ１）〜（Ｂ３）は、ＬＥＤ光源２１０の規定光量が標準より少ない場合に得られる原点マーク画像の例を示す図である。本実施形態では、上述したように、読取制御部１２０は、ＬＥＤ光源２１０から出力させる光の光量を異ならせて、その光量ごとに原点マーク３０を読み取る。そのため、図３（Ｂ１）に示すような規定光量よりも少ない光量で読み取られた原点マーク画像と、図３（Ｂ２）に示すような規定光量のままの光量で読みとられた原点マーク画像と、図３（Ｂ３）に示すような規定光量よりも多い光量で読み取られた原点マーク画像と、が得られる。
【００３７】
また、図３（Ｃ１）〜（Ｃ３）は、ＬＥＤ光源２１０の規定光量が標準的である場合に得られる原点マーク画像の例を示す図である。本実施形態では、読取制御部１２０は、ＬＥＤ光源２１０の規定光量の多少に関わらず、ＬＥＤ光源２１０から出力させる光の光量を異ならせて、その光量ごとに原点マーク３０を読み取る。そのため、ＬＥＤ光源２１０の規定光量が標準的である場合においても、図３（Ｃ１）に示すような規定光量よりも少ない光量で読み取られた原点マーク画像と、図３（Ｃ２）に示すような規定光量のままの光量で読みとられた原点マーク画像と、図３（Ｃ３）に示すような規定光量よりも多い光量で読み取られた原点マーク画像と、が得られる。
【００３８】
また、図３（Ｄ１）〜（Ｄ３）は、ＬＥＤ光源２１０の規定光量が標準より多い場合に得られる原点マーク画像の例を示す図である。このように、ＬＥＤ光源２１０の規定光量が標準より多い場合においても、図３（Ｄ１）に示すような規定光量よりも少ない光量で読み取られた原点マーク画像と、図３（Ｄ２）に示すような規定光量のままの光量で読みとられた原点マーク画像と、図３（Ｄ３）に示すような規定光量よりも多い光量で読み取られた原点マーク画像と、が得られる。
【００３９】
こうすれば、ＬＥＤ光源２１０が出力する光の規定光量にムラが生じたとしても、原点マーク３０を高精度に検出できる原点マーク画像を得ることができる。例えば、ＬＥＤ光源２１０の規定光量が標準より少ない場合には、図３（Ｂ３）に示すような規定光量よりも多い光量で読み取られた原点マーク画像が、原点マーク３０の検出に適した画像となる。また、ＬＥＤ光源２１０の規定光量が標準的である場合には、図３（Ｃ２）に示すような規定光量のままの光量で読み取られた原点マーク画像が、原点マーク３０の検出に適した画像となる。また、ＬＥＤ光源２１０の規定光量が標準より多い場合には、図３（Ｄ１）に示すような規定光量よりも少ない光量で読み取られた原点マーク画像が、原点マーク３０の検出に適した画像となる。
【００４０】
ところで、読取制御部１２０は、ＬＥＤ光源２１０の点灯時間を異ならせることによって、ＬＥＤ光源２１０から出力させる光の光量を異ならせる。また、読取制御部１２０は、ＬＥＤ光源２１０に供給する電力量を異ならせることによって、ＬＥＤ光源２１０から出力させる光の光量を異ならせてもよい。また、読取制御部１２０は、ＬＥＤ光源２１０の点灯時間を異ならせること、及び、ＬＥＤ光源２１０に供給する電力量を異ならせること、の少なくともいずれかによって、ＬＥＤ光源２１０から出力させる光の光量を異ならせてもよい。
【００４１】
図１に戻り、Ａ／Ｄ変換部１１０は、ＩＣ（いわゆる、アナログフロントエンドＩＣ）によって構成される。Ａ／Ｄ変換部１１０は、入力されたアナログデータをデジタルデータに変換（量子化）し、データ補正処理部１３０に出力する。
【００４２】
データ補正処理部１３０は、Ａ／Ｄ変換部１１０から出力されたデジタルデータに対して、シェーディング補正などの各種補正を施して、出力部１５０に出力する。
【００４３】
記憶部１４０は、データ補正処理部１３０が各種補正処理を行うためのデータを記憶するメモリーなどによって実現される。例えば、記憶部１４０は、シェーディング補正に用いる白基準データや黒基準データを記憶する。
【００４４】
出力部１５０は、ネットワーク接続やＵＳＢ接続を行うためのインターフェイスを備え、データ補正処理部１３０から出力されたデジタルデータを、ホストコンピューターに送信する。
【００４５】
上記のコントローラー１００の主な構成要素は、演算装置であるＣＰＵと、プログラム等が記録されたＲＯＭと、メインメモリーとしてデータ等を一時的に格納するＲＡＭと、ホスト等との入出力を制御するインターフェイスと、各構成要素間の通信通路となるシステムバスと、を備えた一般的なコンピューターにより達成することができる。特定の処理を専用に行うように設計されたＡＳＩＣ（Application Specific Integrated Circuit）を含んで、又は、ＡＳＩＣにより構成されていてもよい。
【００４６】
本実施形態が適用された画像読取装置５０は、以上のような構成からなる。ただし、この構成は、本願発明の特徴を説明するにあたって主要構成を説明したのであって、上記の構成に限られない。また、一般的な画像読取装置が備える他の構成を排除するものではない。また、画像読取装置５０は、さらにプリント機能や、ファクシミリ機能を有する複合機であってもよい。また、Ａ／Ｄ変換部１１０は、キャリッジ２００内の基板に搭載されていてもよい。
【００４７】
また、上記した各構成要素は、画像読取装置５０の構成を理解容易にするために、主な処理内容に応じて分類したものである。構成要素の分類の仕方や名称によって、本願発明が制限されることはない。画像読取装置５０の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００４８】
次に、上記構成からなる画像読取装置５０の特徴的な動作について説明する。
【００４９】
＜原点マーク検出処理（カラー）＞
図４は、本実施形態の画像読取装置５０で実行される原点マーク検出処理（カラー）の一例を示すフロー図である。ただし、本フローは、カラー画像の読取制御方法を利用する場合の処理である。
【００５０】
読取制御部１２０は、例えば、原稿の読み取り開始の指示を受け付けると、本フローを開始する。
【００５１】
本フロー開始すると、読取制御部１２０は、原点マーク３０を検出するために、ＬＥＤ光源２１０の赤色（Ｒ）ＬＥＤに発光させ、１ライン分の読み取りを行う（ステップＳ１０１）。
【００５２】
続いて、読取制御部１２０は、ＬＥＤ光源２１０の緑色（Ｇ）ＬＥＤに発光させ、１ライン分の読み取りを行う（ステップＳ１０２）。
【００５３】
次に、読取制御部１２０は、ＬＥＤ光源２１０の青色（Ｂ）ＬＥＤに発光させ、１ライン分の読み取りを行う（ステップＳ１０３）。
【００５４】
ただし、上記ステップＳ１０１〜ステップＳ１０３において、読取制御部１２０は、ＬＥＤ光源２１０から出力させる光の光量を異ならせている。すなわち、読取制御部１２０は、同ラインの読み取りにおいて、色ごとに、ＬＥＤ光源２１０から出力される光の光量を異ならせている。
【００５５】
ここで、各色のＬＥＤ光源２１０から出力させる光の光量を異ならせる方法としては、上述したように、例えば、点灯時間を異ならせる方法（例１）がある。
【００５６】
図５は、点灯時間によってＬＥＤ光源２１０の光量を調整する場合における、各色のＬＥＤ光源２１０の点灯タイミング、消灯タイミングを示すタイミングチャートである。図中の太線は、読取制御部１２０から各色のＬＥＤ光源２１０へ供給される信号を表している。
【００５７】
図示するように、読取制御部１２０は、赤色（Ｒ）ＬＥＤの点灯時間を、規定（標準）時間よりも短くする。こうして、上記ステップＳ１０１において、読取制御部１２０は、赤色（Ｒ）ＬＥＤから出力される光の光量を規定光量（すなわち、原稿読み取り時の光量）よりも減少させることができる。
【００５８】
また、読取制御部１２０は、緑色（Ｇ）ＬＥＤの点灯時間を、規定（標準）時間のままとする。こうして、読取制御部１２０は、緑色（Ｇ）ＬＥＤから出力される光の光量を規定光量（すなわち、原稿読み取り時の光量）のままとすることができる。
【００５９】
また、読取制御部１２０は、青色（Ｂ）ＬＥＤの点灯時間を、規定（標準）時間よりも長くする。こうして、読取制御部１２０は、青色（Ｂ）ＬＥＤから出力される光の光量を規定光量（すなわち、原稿読み取り時の光量）よりも増加させることができる。
【００６０】
これとともに、読取制御部１２０は、イメージセンサー２２０に対してシフトパルスの提供を周期的に行うため（図５に示す点線のタイミング）、光電変換素子に蓄積された電荷はシフトレジスターへ転送され、色ごとに光量の異なる原点マーク画像を得ることができる。
【００６１】
なお、図示する例では、点灯状態を有効信号（Ｈ）、消灯状態を無効信号（Ｌ）としているが、これに限定されるものではない。また、各色のＬＥＤ光源２１０の点灯時間は、図示する例に限定されるものではないが、赤（Ｒ）ＬＥＤの点灯時間、緑色（Ｇ）ＬＥＤの点灯時間、青色（Ｂ）ＬＥＤの点灯時間、の比を、「１：２：４」にするのが好ましい。すなわち、緑色（Ｇ）ＬＥＤの点灯時間を、赤色（Ｒ）ＬＥＤの点灯時間の２倍とし、青色（Ｂ）ＬＥＤの点灯時間を、赤色（Ｒ）ＬＥＤの点灯時間の４倍とするのが好ましい。
【００６２】
ところで、各色のＬＥＤ光源２１０から出力させる光の光量を異ならせる方法として、上述したように、例えば、ＬＥＤ光源２１０に供給する電力量を異ならせる方法（例２）もある。
【００６３】
図６は、ＬＥＤ光源２１０に供給する電力量によってＬＥＤ光源２１０の光量を調整する場合における、各色のＬＥＤ光源２１０の点灯タイミング、消灯タイミングを示すタイミングチャートである。
【００６４】
図示するように、読取制御部１２０は、赤色（Ｒ）ＬＥＤへ供給する電力量を、規定（標準）電力量よりも減少させる。こうして、上記ステップＳ１０１において、読取制御部１２０は、赤色（Ｒ）ＬＥＤから出力される光の光量を規定光量（すなわち、原稿読み取り時の光量）よりも減少させることができる。
【００６５】
また、読取制御部１２０は、緑色（Ｇ）ＬＥＤへ供給する電力量を、規定（標準）電力量のままとする。こうして、読取制御部１２０は、緑色（Ｇ）ＬＥＤから出力される光の光量を規定光量（すなわち、原稿読み取り時の光量）のままとすることができる。
【００６６】
また、読取制御部１２０は、青色（Ｂ）ＬＥＤへ供給する電力量を、規定（標準）電力量よりも増加させる。こうして、読取制御部１２０は、青色（Ｂ）ＬＥＤから出力される光の光量を規定光量（すなわち、原稿読み取り時の光量）よりも増加させることができる。
【００６７】
これとともに、読取制御部１２０は、イメージセンサー２２０に対してシフトパルスの提供を周期的に行うため（図６に示す点線のタイミング）、光電変換素子に蓄積された電荷はシフトレジスターへ転送され、色ごとに光量の異なる原点マーク画像を得ることができる。
【００６８】
なお、図示する例では、点灯状態を有効信号（Ｈ）、消灯状態を無効信号（Ｌ）としているが、これに限定されるものではない。また、各色のＬＥＤ光源２１０の点灯時間については、簡単のため、同一としているが、これに限定されるものではない。もちろん、各色のＬＥＤ光源２１０の点灯時間は、原稿読み取り時と同様にするのが好ましい。
【００６９】
図４に戻り説明する。上記ステップＳ１０１〜ステップＳ１０３の処理を実行して、１ライン分の原点マーク画像を読み取ると、読取制御部１２０は、原点マーク３０を検出する処理を実行する（ステップＳ１０４）。
【００７０】
具体的には、読取制御部１２０は、上記ステップで得られた各色の原点マーク画像と、原点マーク３０の特徴点を示すデータ（以下では「特徴データ」とよぶ）と、をそれぞれ比較する。
【００７１】
ここで、例えば、ＬＥＤ光源２１０の規定光量が標準より少ない場合には、上記ステップＳ１０１〜ステップＳ１０３で得られた色ごとの原点マーク画像は、図３（Ｂ１）〜（Ｂ３）に示すような画像となる。すなわち、赤色（Ｒ）の原点マーク画像は、ＬＥＤ光源２１０の光量を規定光量よりも減少させて読み取られているため、図３（Ｂ１）に示すような画像となり、緑色（Ｇ）の原点マーク画像は、ＬＥＤ光源２１０の光量を規定光量のままとして読み取られているため、図３（Ｂ２）に示すような画像となり、青色（Ｂ）の原点マーク画像は、ＬＥＤ光源２１０の光量を規定光量よりも増加させて読み取られているため、図３（Ｂ３）に示すような画像となる。
【００７２】
そして、図３（Ｂ１）、（Ｂ２）に示すように、赤色（Ｒ）の原点マーク画像や緑色（Ｇ）の原点マーク画像では、原点マーク３０とその周辺領域での輝度差が小さいため、原点マーク３０の特徴データと比較しても原点マーク３０を精度良く検出できない。
【００７３】
しかし、図３（Ｂ３）に示すように、青色（Ｂ）の原点マーク画像については、原点マーク３０とその周辺領域での輝度差がはっきりしているため、精度良く原点マーク３０を検出できる。
【００７４】
また、例えば、ＬＥＤ光源２１０の規定光量が標準的である場合には、上記ステップＳ１０１〜ステップＳ１０３で得られた色ごとの原点マーク画像は、図３（Ｃ１）〜（Ｃ３）に示すような画像となる。すなわち、赤色（Ｒ）の原点マーク画像は、ＬＥＤ光源２１０の光量を規定光量よりも減少させて読み取られているため、図３（Ｃ１）に示すような画像となり、緑色（Ｇ）の原点マーク画像は、ＬＥＤ光源２１０の光量を規定光量のままとして読み取られているため、図３（Ｃ２）に示すような画像となり、青色（Ｂ）の原点マーク画像は、ＬＥＤ光源２１０の光量を規定光量よりも増加させて読み取られているため、図３（Ｃ３）に示すような画像となる。
【００７５】
そして、図３（Ｃ１）、（Ｃ３）に示すように、赤色（Ｒ）の原点マーク画像や青色（Ｂ）の原点マーク画像では、原点マーク３０とその周辺領域での輝度差が小さいため、原点マーク３０の特徴データと比較しても原点マーク３０を精度良く検出できない。
【００７６】
しかし、図３（Ｃ２）に示すように、緑色（Ｇ）の原点マーク画像については、原点マーク３０とその周辺領域での輝度差がはっきりしているため、精度良く原点マーク３０を検出できる。
【００７７】
また、例えば、ＬＥＤ光源２１０の規定光量が標準より多い場合には、上記ステップＳ１０１〜ステップＳ１０３で得られた色ごとの原点マーク画像は、図３（Ｄ１）〜（Ｄ３）に示すような画像となる。すなわち、赤色（Ｒ）の原点マーク画像は、ＬＥＤ光源２１０の光量を規定光量よりも減少させて読み取られているため、図３（Ｄ１）に示すような画像となり、緑色（Ｇ）の原点マーク画像は、ＬＥＤ光源２１０の光量を規定光量のままとして読み取られているため、図３（Ｄ２）に示すような画像となり、青色（Ｂ）の原点マーク画像は、ＬＥＤ光源２１０の光量を規定光量よりも増加させて読み取られているため、図３（Ｄ３）に示すような画像となる。
【００７８】
そして、図３（Ｄ２）、（Ｄ３）に示すように、緑色（Ｇ）の原点マーク画像や青色（Ｂ）の原点マーク画像では、原点マーク３０とその周辺領域での輝度差が小さいため、原点マーク３０の特徴データと比較しても原点マーク３０を精度良く検出できない。
【００７９】
しかし、図３（Ｄ１）に示すように、赤色（Ｒ）の原点マーク画像については、原点マーク３０とその周辺領域での輝度差がはっきりしているため、精度良く原点マーク３０を検出できる。
【００８０】
このように、本フローでは、色ごとにＬＥＤ光源２１０の光量を異ならせた複数の原点マーク画像（Ｒ、Ｇ、Ｂ）が読み取られ、これらの原点マーク画像（Ｒ、Ｇ、Ｂ）のうち少なくとも１つは原点マーク３０を明確に検出できる画像となる。そのため、ＬＥＤ光源２１０の光量の多少に関わらず精度良く原点マーク３０を検出できる。
【００８１】
なお、原点マーク３０の特徴データは、予めＲＯＭ等の記憶装置に用意（格納）されているものとする。
【００８２】
図４に戻り、読取制御部１２０は、ステップＳ１０４において原点マーク３０を検出できたか否か判別する（ステップＳ１０５）。
【００８３】
例えば、読取制御部１２０は、上記ステップＳ１０１〜Ｓ１０３で読み取られた所定ライン分（例えば、直近の１０ライン分）の原点マーク画像（Ｒ、Ｇ、Ｂ）のいずれにも、原点マーク３０の特徴がない場合には、原点マーク３０を検出できなかったものと判定し（ステップＳ１０５；Ｎｏ）、処理をステップＳ１０１に戻し、次のラインの読み取りを行う。
【００８４】
一方、読取制御部１２０は、原点マーク画像に、原点マーク３０の特徴が存在する場合には、原点マーク３０を検出できたものと判定し（ステップＳ１０５；Ｙｅｓ）、処理をステップＳ１０６へ移行する。
【００８５】
なお、図７は、ステップＳ１０１〜ステップＳ１０３の処理を繰り返し実行することによって得られる原点マーク画像のイメージ図である。図示するように、読取制御部１２０は、ＬＥＤ光源２１０の光量を規定光量より減少させて読み取られた赤色（Ｒ）の原点マーク画像と、ＬＥＤ光源２１０の光量を規定光量のままにして読み取られた緑色（Ｇ）の原点マーク画像と、ＬＥＤ光源２１０の光量を規定光量より増加させて読み取られた青色（Ｂ）の原点マーク画像と、を得ることができる。なお、読取制御部１２０は、このように得られた各色の原点マーク画像を、所定の記憶装置（例えば、ＲＡＭ）に格納しておくものとする。
【００８６】
ステップＳ１０６に処理が移行すると、読取制御部１２０は、ステップＳ１０４で原点マーク３０が検出された位置（例えば、原点マーク３０の副走査方向の一端）を、キャリッジ２００の基準位置（すなわち、ホームポジション）と決定する（ステップＳ１０６）。
【００８７】
それから、読取制御部１２０は、ステップＳ１０６で決定された基準位置にキャリッジ２００を移動させて、原稿の読取制御を開始する（ステップＳ１０７）。
【００８８】
その後、読取制御部１２０は、本フローを終了する。
【００８９】
以上の原点マーク検出処理（カラー）を行うことにより、本実施形態の画像読取装置５０は、ＬＥＤ光源２１０が出力する光の規定光量にムラが生じたとしても、原点マーク３０を高精度に検出できる。その結果、原稿の読取制御に先立ち、キャリッジ２００を基準位置に従来よりも正確に移動させることができる。
【００９０】
なお、上記したフローの各処理単位は、画像読取装置５０を理解容易にするために、主な処理内容に応じて分割したものである。処理ステップの分類の仕方やその名称によって、本願発明が制限されることはない。画像読取装置５０が行う処理は、さらに多くの処理ステップに分割することもできる。また、１つの処理ステップが、さらに多くの処理を実行してもよい。
【００９１】
また、上記の実施形態は、本発明の要旨を例示することを意図し、本発明を限定するものではない。多くの代替物、修正、変形例は当業者にとって明らかである。
【００９２】
例えば、上記実施形態では、カラー画像の読取制御方法を利用して原点マークを検出する処理について説明したが、原点マークの検出に他の方法を利用してもよい。例えば、モノクロ画像の読取制御方法を利用して原点マークを検出してもよい。
【００９３】
＜原点マーク検出処理（モノクロ）＞
図８は、本実施形態の画像読取装置５０で実行される原点マーク検出処理（モノクロ）の一例を示すフロー図である。ただし、本フローは、モノクロ画像の読取制御方法を利用する場合の処理である。
【００９４】
読取制御部１２０は、例えば、原稿の読み取り開始の指示を受け付けると、本フローを開始する。
【００９５】
本フロー開始すると、読取制御部１２０は、原点マーク３０を検出するために、ＬＥＤ光源２１０の赤色（Ｒ）ＬＥＤ、緑色（Ｇ）ＬＥＤ、青色（Ｂ）ＬＥＤを同時に発光させ、１ライン分の読み取りを行う。ただし、読取制御部１２０は、各色（Ｒ、Ｇ、Ｂ）のＬＥＤ光源２１０から出力される光の光量を規定光量（すなわち、原稿読み取り時の光量）よりも減少させて、読み取りを行う（ステップＳ２０１）。
【００９６】
図９（Ａ）は、点灯時間によってＬＥＤ光源２１０の光量を調整する場合における、各色のＬＥＤ光源２１０の点灯タイミング、消灯タイミングを示すタイミングチャートである（例１）。図中の太線は、読取制御部１２０から各色のＬＥＤ光源２１０へ供給される信号を表している。
【００９７】
図示するように、読取制御部１２０は、各色（Ｒ、Ｇ、Ｂ）のＬＥＤ光源２１０の点灯時間を、規定（標準）時間よりも短くする。こうして、上記ステップＳ２０１において、読取制御部１２０は、各色（Ｒ、Ｇ、Ｂ）のＬＥＤ光源２１０から出力される光の光量を規定光量（すなわち、原稿読み取り時の光量）よりも減少させることができる。
【００９８】
これとともに、読取制御部１２０は、イメージセンサー２２０に対してシフトパルスの提供を周期的に行うため（図９（Ａ）に示す点線のタイミング）、光電変換素子に蓄積された電荷はシフトレジスターへ転送され、ＬＥＤ光源２１０の光量を減少させたモノクロの原点マーク画像を得ることができる。
【００９９】
なお、図示する例では、点灯状態を有効信号（Ｈ）、消灯状態を無効信号（Ｌ）としているが、これに限定されるものではない。
【０１００】
また、もちろん、ＬＥＤ光源２１０に供給する電力量によってＬＥＤ光源２１０の光量を減少させてもよい。
【０１０１】
図１０（Ａ）は、ＬＥＤ光源２１０に供給する電力量によってＬＥＤ光源２１０の光量を調整する場合における、各色のＬＥＤ光源２１０の点灯タイミング、消灯タイミングを示すタイミングチャートである（例２）。図中の太線は、読取制御部１２０から各色のＬＥＤ光源２１０へ供給される信号を表している。
【０１０２】
図示するように、読取制御部１２０は、各色（Ｒ、Ｇ、Ｂ）のＬＥＤ光源２１０へ供給する電力量を、規定（標準）電力量よりも減少させる。こうして、上記ステップＳ２０１において、読取制御部１２０は、各色（Ｒ、Ｇ、Ｂ）のＬＥＤ光源２１０から出力される光の光量を規定光量（すなわち、原稿読み取り時の光量）よりも減少させることができる。
【０１０３】
これとともに、読取制御部１２０は、イメージセンサー２２０に対してシフトパルスの提供を周期的に行うため（図１０（Ａ）に示す点線のタイミング）、光電変換素子に蓄積された電荷はシフトレジスターへ転送され、ＬＥＤ光源２１０の光量を減少させたモノクロの原点マーク画像を得ることができる。
【０１０４】
なお、図示する例では、点灯状態を有効信号（Ｈ）、消灯状態を無効信号（Ｌ）としているが、これに限定されるものではない。また、各色のＬＥＤ光源２１０の点灯時間については、簡単のため、各色を区別せずに同一としているが、これに限定されるものではない。もちろん、各色のＬＥＤ光源２１０の点灯時間は、原稿読み取り時と同様にするのが好ましい。
【０１０５】
図８に戻り説明する。上記ステップＳ２０１の処理を実行して、光量を減少させた１ライン分のモノクロの原点マーク画像を読み取ると、読取制御部１２０は、再び、ＬＥＤ光源２１０の赤色（Ｒ）ＬＥＤ、緑色（Ｇ）ＬＥＤ、青色（Ｂ）ＬＥＤを同時に発光させ、ステップＳ２０１と同ラインの読み取りを行う。ただし、読取制御部１２０は、各色（Ｒ、Ｇ、Ｂ）のＬＥＤ光源２１０から出力される光の光量を規定光量（すなわち、原稿読み取り時の光量）のままとして、読み取りを行う（ステップＳ２０２）。
【０１０６】
図９（Ｂ）は、点灯時間によってＬＥＤ光源２１０の光量を調整する場合における、各色のＬＥＤ光源２１０の点灯タイミング、消灯タイミングを示すタイミングチャートである（例１）。図中の太線は、読取制御部１２０から各色のＬＥＤ光源２１０へ供給される信号を表している。
【０１０７】
図示するように、読取制御部１２０は、各色（Ｒ、Ｇ、Ｂ）のＬＥＤ光源２１０の点灯時間を、規定（標準）時間のままとする。こうして、上記ステップＳ２０２において、読取制御部１２０は、各色（Ｒ、Ｇ、Ｂ）のＬＥＤ光源２１０から出力される光の光量を規定光量（すなわち、原稿読み取り時の光量）のままとすることができる。
【０１０８】
これとともに、読取制御部１２０は、イメージセンサー２２０に対してシフトパルスの提供を周期的に行うため（図９（Ｂ）に示す点線のタイミング）、光電変換素子に蓄積された電荷はシフトレジスターへ転送され、ＬＥＤ光源２１０の光量を調整していないモノクロの原点マーク画像を得ることができる。
【０１０９】
なお、図示する例では、点灯状態を有効信号（Ｈ）、消灯状態を無効信号（Ｌ）としているが、これに限定されるものではない。
【０１１０】
また、もちろん、ＬＥＤ光源２１０に供給する電力量によってＬＥＤ光源２１０の光量を規定光量のままとしてもよい。
【０１１１】
図１０（Ｂ）は、ＬＥＤ光源２１０に供給する電力量によってＬＥＤ光源２１０の光量を調整する場合における、各色のＬＥＤ光源２１０の点灯タイミング、消灯タイミングを示すタイミングチャートである（例２）。図中の太線は、読取制御部１２０から各色のＬＥＤ光源２１０へ供給される信号を表している。
【０１１２】
図示するように、読取制御部１２０は、各色（Ｒ、Ｇ、Ｂ）のＬＥＤ光源２１０へ供給する電力量を、規定（標準）電力量のままとする。こうして、上記ステップＳ２０２において、読取制御部１２０は、各色（Ｒ、Ｇ、Ｂ）のＬＥＤ光源２１０から出力される光の光量を規定光量（すなわち、原稿読み取り時の光量）のままとすることができる。
【０１１３】
これとともに、読取制御部１２０は、イメージセンサー２２０に対してシフトパルスの提供を周期的に行うため（図１０（Ｂ）に示す点線のタイミング）、光電変換素子に蓄積された電荷はシフトレジスターへ転送され、ＬＥＤ光源２１０の光量を調整していないモノクロの原点マーク画像を得ることができる。
【０１１４】
なお、図示する例では、点灯状態を有効信号（Ｈ）、消灯状態を無効信号（Ｌ）としているが、これに限定されるものではない。また、各色のＬＥＤ光源２１０の点灯時間については、簡単のため、各色を区別せずに同一としているが、これに限定されるものではない。もちろん、各色のＬＥＤ光源２１０の点灯時間は、原稿読み取り時と同様にするのが好ましい。
【０１１５】
図８に戻り説明する。上記ステップＳ２０２の処理を実行して、光量を調整せずに１ライン分のモノクロの原点マーク画像を読み取ると、読取制御部１２０は、再び、ＬＥＤ光源２１０の赤色（Ｒ）ＬＥＤ、緑色（Ｇ）ＬＥＤ、青色（Ｂ）ＬＥＤを同時に発光させ、ステップＳ２０２と同ラインの読み取りを行う。ただし、読取制御部１２０は、各色（Ｒ、Ｇ、Ｂ）のＬＥＤ光源２１０から出力される光の光量を規定光量（すなわち、原稿読み取り時の光量）よりも増加させて、読み取りを行う（ステップＳ２０３）。
【０１１６】
図９（Ｃ）は、点灯時間によってＬＥＤ光源２１０の光量を調整する場合における、各色のＬＥＤ光源２１０の点灯タイミング、消灯タイミングを示すタイミングチャートである（例１）。図中の太線は、読取制御部１２０から各色のＬＥＤ光源２１０へ供給される信号を表している。
【０１１７】
図示するように、読取制御部１２０は、各色（Ｒ、Ｇ、Ｂ）のＬＥＤ光源２１０の点灯時間を、規定（標準）時間よりも長くする。こうして、上記ステップＳ２０３において、読取制御部１２０は、各色（Ｒ、Ｇ、Ｂ）のＬＥＤ光源２１０から出力される光の光量を規定光量（すなわち、原稿読み取り時の光量）よりも増加させることができる。
【０１１８】
これとともに、読取制御部１２０は、イメージセンサー２２０に対してシフトパルスの提供を周期的に行うため（図９（Ｃ）に示す点線のタイミング）、光電変換素子に蓄積された電荷はシフトレジスターへ転送され、ＬＥＤ光源２１０の光量を増加させたモノクロの原点マーク画像を得ることができる。
【０１１９】
なお、図示する例では、点灯状態を有効信号（Ｈ）、消灯状態を無効信号（Ｌ）としているが、これに限定されるものではない。
【０１２０】
また、もちろん、ＬＥＤ光源２１０に供給する電力量によってＬＥＤ光源２１０の光量を規定光量より増加させてもよい。
【０１２１】
図１０（Ｃ）は、ＬＥＤ光源２１０に供給する電力量によってＬＥＤ光源２１０の光量を調整する場合における、各色のＬＥＤ光源２１０の点灯タイミング、消灯タイミングを示すタイミングチャートである（例２）。図中の太線は、読取制御部１２０から各色のＬＥＤ光源２１０へ供給される信号を表している。
【０１２２】
図示するように、読取制御部１２０は、各色（Ｒ、Ｇ、Ｂ）のＬＥＤ光源２１０へ供給する電力量を、規定（標準）電力量よりも増加させる。こうして、上記ステップＳ２０３において、読取制御部１２０は、各色（Ｒ、Ｇ、Ｂ）のＬＥＤ光源２１０から出力される光の光量を規定光量（すなわち、原稿読み取り時の光量）よりも増加させることができる。
【０１２３】
これとともに、読取制御部１２０は、イメージセンサー２２０に対してシフトパルスの提供を周期的に行うため（図１０（Ｃ）に示す点線のタイミング）、光電変換素子に蓄積された電荷はシフトレジスターへ転送され、ＬＥＤ光源２１０の光量を増加させたモノクロの原点マーク画像を得ることができる。
【０１２４】
なお、図示する例では、点灯状態を有効信号（Ｈ）、消灯状態を無効信号（Ｌ）としているが、これに限定されるものではない。また、各色のＬＥＤ光源２１０の点灯時間については、簡単のため、各色を区別せずに同一としているが、これに限定されるものではない。もちろん、各色のＬＥＤ光源２１０の点灯時間は、原稿読み取り時と同様にするのが好ましい。
【０１２５】
図８に戻り説明する。上記ステップＳ２０５の処理を実行して、光量を増加させた１ライン分のモノクロの原点マーク画像を読み取ると、読取制御部１２０は、原点マーク３０を検出する処理を実行する（ステップＳ２０４）。
【０１２６】
具体的には、読取制御部１２０は、上記ステップで得られた各原点マーク画像と、原点マーク３０の特徴データと、をそれぞれ比較する。
【０１２７】
ここで、例えば、ＬＥＤ光源２１０の規定光量が標準より少ない場合には、上記ステップＳ２０１〜Ｓ２０３で得られたモノクロの原点マーク画像は、図３（Ｂ１）〜（Ｂ３）に示すような画像となる。すなわち、ステップＳ２０１で読み取られた原点マーク画像は、ＬＥＤ光源２１０の光量を規定光量よりも減少させて読み取られているため、図３（Ｂ１）に示すような画像となり、ステップＳ２０２で読み取られた原点マーク画像は、ＬＥＤ光源２１０の光量を規定光量のままとして読み取られているため、図３（Ｂ２）に示すような画像となり、ステップＳ２０３で得られた原点マーク画像は、ＬＥＤ光源２１０の光量を規定光量よりも増加させて読み取られているため、図３（Ｂ３）に示すような画像となる。
【０１２８】
そして、図３（Ｂ１）、（Ｂ２）に示すように、ステップ２０１やステップＳ２０２で読み取られた原点マーク画像では、原点マーク３０とその周辺領域での輝度差が小さいため、原点マーク３０の特徴データと比較しても原点マーク３０を精度良く検出できない。
【０１２９】
しかし、図３（Ｂ３）に示すように、ステップＳ２０３で読み取られた原点マーク画像については、原点マーク３０とその周辺領域での輝度差がはっきりしているため、精度良く原点マーク３０を検出できる。
【０１３０】
また、例えば、ＬＥＤ光源２１０の規定光量が標準的である場合には、上記ステップＳ２０１〜Ｓ２０３で得られた各原点マーク画像は、図３（Ｃ１）〜（Ｃ３）に示すような画像となる。すなわち、ステップＳ２０１で読み取られた原点マーク画像は、ＬＥＤ光源２１０の光量を規定光量よりも減少させて読み取られているため、図３（Ｃ１）に示すような画像となり、ステップＳ２０２で読み取られた原点マーク画像は、ＬＥＤ光源２１０の光量を規定光量のままとして読み取られているため、図３（Ｃ２）に示すような画像となり、ステップＳ２０３で得られた原点マーク画像は、ＬＥＤ光源２１０の光量を規定光量よりも増加させて読み取られているため、図３（Ｃ３）に示すような画像となる。
【０１３１】
そして、図３（Ｃ１）、（Ｃ３）に示すように、ステップＳ２０１やステップＳ２０３で読み取られた原点マーク画像では、原点マーク３０とその周辺領域での輝度差が小さいため、原点マーク３０の特徴データと比較しても原点マーク３０を精度良く検出できない。
【０１３２】
しかし、図３（Ｃ２）に示すように、ステップＳ２０２で読み取られた原点マーク画像については、原点マーク３０とその周辺領域での輝度差がはっきりしているため、精度良く原点マーク３０を検出できる。
【０１３３】
また、例えば、ＬＥＤ光源２１０の規定光量が標準より多い場合には、上記ステップＳ２０１〜Ｓ２０３で得られた各原点マーク画像は、図３（Ｄ１）〜（Ｄ３）に示すような画像となる。すなわち、ステップＳ２０１で読み取られた原点マーク画像は、ＬＥＤ光源２１０の光量を規定光量よりも減少させて読み取られているため、図３（Ｄ１）に示すような画像となり、ステップＳ２０２で読み取られた原点マーク画像は、ＬＥＤ光源２１０の光量を規定光量のままとして読み取られているため、図３（Ｄ２）に示すような画像となり、ステップＳ２０３で読み取られた原点マーク画像は、ＬＥＤ光源２１０の光量を規定光量よりも増加させて読み取られているため、図３（Ｄ３）に示すような画像となる。
【０１３４】
そして、図３（Ｄ２）、（Ｄ３）に示すように、ステップＳ２０２やステップＳ２０３で読み取られた原点マーク画像では、原点マーク３０とその周辺領域での輝度差が小さいため、原点マーク３０の特徴データと比較しても原点マーク３０を精度良く検出できない。
【０１３５】
しかし、図３（Ｄ１）に示すように、ステップＳ２０１で読み取られた原点マーク画像については、原点マーク３０とその周辺領域での輝度差がはっきりしているため、精度良く原点マーク３０を検出できる。
【０１３６】
このように、本フローでは、モノクロ画像の読取制御方法を利用する場合であっても、ＬＥＤ光源２１０の光量を異ならせた複数の原点マーク画像（モノクロ）が読み取られ、これらの原点マーク画像（モノクロ）のうち少なくとも１つは原点マーク３０を明確に検出できる画像となる。そのため、ＬＥＤ光源２１０の光量の多少に関わらず精度良く原点マーク３０を検出できる。
【０１３７】
図８に戻り、読取制御部１２０は、ステップＳ２０４において原点マーク３０を検出できたか否か判別する（ステップＳ２０５）。
【０１３８】
例えば、読取制御部１２０は、上記ステップＳ２０１〜Ｓ２０３で読み取られた所定ライン分（例えば、直近の１０ライン分）の原点マーク画像（モノクロ）のいずれにも、原点マーク３０の特徴がない場合には、原点マーク３０を検出できなかったものと判定し（ステップＳ２０５；Ｎｏ）、処理をステップＳ２０１に戻し、次のラインの読み取りを行う。
【０１３９】
一方、読取制御部１２０は、原点マーク画像に、原点マーク３０の特徴が存在する場合には、原点マーク３０を検出できたものと判定し（ステップＳ２０５；Ｙｅｓ）、処理をステップＳ２０６へ移行する。
【０１４０】
なお、図１１は、ステップＳ２０１〜Ｓ２０３の処理を繰り返し実行することによって得られるモノクロの原点マーク画像のイメージ図である。図示するように、読取制御部１２０は、ＬＥＤ光源２１０の光量を規定光量より減少させて読み取られたモノクロの原点マーク画像と、ＬＥＤ光源２１０の光量を規定光量のままにして読み取られたモノクロの原点マーク画像と、ＬＥＤ光源２１０の光量を規定光量より増加させて読み取られたモノクロの原点マーク画像と、を得ることができる。
【０１４１】
処理がステップＳ２０６に移行すると、読取制御部１２０は、ステップＳ２０４で原点マーク３０が検出された位置（例えば、原点マーク３０の副走査方向の一端）を、キャリッジ２００の基準位置（すなわち、ホームポジション）と決定する（ステップＳ２０６）。
【０１４２】
それから、読取制御部１２０は、ステップＳ２０６で決定された基準位置にキャリッジ２００を移動させて、原稿の読取制御を開始する（ステップＳ２０７）。
【０１４３】
その後、読取制御部１２０は、本フローを終了する。
【０１４４】
以上の原点マーク検出処理（モノクロ）を行うことにより、本実施形態の画像読取装置５０は、モノクロ画像の読取制御方法を利用する場合であっても、カラー画像の読取制御方法を利用する場合と同様に、ＬＥＤ光源２１０が出力する光の光量の多少に関わらず、原点マーク３０を高精度に検出できる。その結果、原稿の読取制御に先立ち、キャリッジ２００を基準位置に従来よりも正確に移動させることができる。
【０１４５】
また、上記実施形態や上記変形例では、各色の光源をＬＥＤ光源としているが、これに限定されない。
【０１４６】
また、上記実施形態や上記変形例では、ＬＥＤ光源２１０から出力させる光の光量を３段階（減少、調整なし、増加）で異ならせている。しかし、これに限定されず、２段階、あるいは、４段階以上としてもよい。
【０１４７】
また、上記実施形態では説明していなかったが、原稿読み取り時におけるＲＧＢそれぞれの点灯時間は、一般的に、Ｒ点灯時間が最も長く、Ｇ点灯時間が次に長く、Ｂ点灯時間が最も短い（Ｒ点灯時間＞Ｇ点灯時間＞Ｂ点灯時間）。しかし、上記実施形態では、図５に示すように、原点マーク３０検出時に、あえて、Ｒ点灯時間を最も短くし、Ｇ点灯時間を次に短くし、Ｂ点灯時間を最も長くすることにより（Ｒ点灯時間＜Ｇ点灯時間＜Ｂ点灯時間）、各色のＬＥＤ光源２１０が出力する光量に差がでるようにしている。
【符号の説明】
【０１４８】
５０・・・画像読取装置、１００・・・コントローラー、１１０・・・Ａ／Ｄ変換部、１２０・・・読取制御部、１３０・・・データ補正処理部、１４０・・・記憶部、１５０・・・出力部、２００・・・キャリッジ、２１０・・・ＬＥＤ光源、２２０・・・イメージセンサー。
【図１】
2013098619.tif 000003
【図２】
2013098619.tif 000004
【図３】
2013098619.tif 000005
【図４】
2013098619.tif 000006
【図５】
2013098619.tif 000007
【図６】
2013098619.tif 000008
【図７】
2013098619.tif 000009
【図８】
2013098619.tif 000010
【図９】
2013098619.tif 000011
【図１０】
2013098619.tif 000012
【図１１】
2013098619.tif 000013